【事件の表示】
　特許第２９４８６３７号「遊技装置」の特許に対する特許異議の申立てについて、次のとおり決定する。
【結　論】
　特許第２９４８６３７号の特許を維持する。
【理　由】
  特許２９４８６３７号（平成２年８月２２日出願、平成１１年７月２日設定登録。）の請求項１に係る発明は、その特許請求の範囲の請求項１に記載された事項により特定される次のとおりのものである。
「遊技媒体を使用して遊技が開始され、その遊技結果に基づいて所定数の前記遊技媒体を排出させるための賞遊技媒体排出信号を発生させる覚遊技媒体排出信号発生手段と、
所要の操作をすることに基づいて当該遊技で使用する貸出用の前記遊技媒体を排出させるための貸出遊技媒体排出信号を発生させる貸出操作手段と、
前記賞遊技媒体排出信号発生手段により発生した前記賞遊技媒体排出信号に基づいて、賞としての前記遊技媒体を排出させると共に、前記貸出操作手段により発生した貸出遊技媒体排出信号に基づいて、前記貸出用の前記遊技媒体を排出させる単一の遊技媒体排出装置と、
前記遊技媒体排出装置が前記賞としての前記遊技媒体を排出する場合に、
前記賞としての前記遊技媒体の排出状態を表示する賞遊技媒体排出状態表示手段と、
を備える遊技装置であって、
前記遊技装置には、
価値物体を挿入するための価値物体挿入口と、
前記価値物体が前記価値物体挿入口に挿入させている状態であることを表示する投入状態表示手段と、
を備えると共に、
前記遊技装置には、
前記価値物体挿入口に価値物体を挿入し、
前記貸出遊技媒体排出信号に基づいて、前記遊技媒体排出装置が前記貸出用の前記遊技媒体を排出する場合に、前記貸出用の前記遊技媒体が排出状態にあることを表示する貸出排出状態表示手段を、前記賞遊技媒体排出状態表示手段とは別異に設けていることを特徴とする遊技装置。」
  申立人は、証拠として甲第１〜３号証を提出し、請求項１に係る発明の特許は、上記甲第１号証及び甲第３号証、又は甲第２号証及び甲第３号証に基いて当業者が容易に発明をすることができたものであり、特許法第２９条第２項の規定により特許を受けることができないのものであるから、請求項１に係る発明の特許を取り消すべき旨主張している。
  甲第１号証（特開昭６４−６４６８１号公報）には、
「パチンコゲーム機」であって、
「持ち球皿１３の下部に設けられている操作盤２０の盤上には登録持ち球を表示する表示部２２と、遊技者が各種操作を指示する複数個の操作ボタン２３と、カードＣを挿入するカード挿入口２１とが備えられており、内部にはカード挿入口２１から挿入されたカードＣから各種情報を読取り、制御器５０からの情報を書き込む読取書き込み部２４と操作ボタンに対応するスイッチ部とが設けられている。」（第３頁右上欄第８〜１６行）こと、
「パチンコ球を持ち球皿１３に入れて遊技を開始する。
遊技者が既に他のゲーム機Ｐで自己の持ち球を入手し、カードＣに記億ずみの場合にはこのカードＣを挿入口２１に差し込めば登録持ち球として表示部２２に表示される。そしてスイッチ部２５の操作ボタン２３，２３ａ…のうち適切な一つを押すと持ち球皿１３にパチンコ球が供給され、供給数に対応する個数は表示盤上の個数から差し引かれて修正表示される。」（第３頁左下欄第４〜１３行）こと、
「持ち球皿１３内に実球が乏しくなったらスイッチ部２５の操作ボタン２３，２３ａ…のうち適切な一つを押して実球の供給を受ける。・・・このとき供給されるパチンコ球は供給タンク３１から出て供給ポンプ３５を通過する際に計数され、パルス発信器３３ａから制御器５０に伝達され元の登録数から減算されて再表示される。」（第３頁右下欄第１〜９行）こと、
「前記供給ポンプ３５によるパチンコ球の供給は上記のような遊技者の請求に基づく場合以外にセーフ玉による賞球の払出し用として使用することが可能である。この時、セーフ玉の検出は各セーフ孔１１のセンサー１５を設け、そこからの情報指令による方法と、セーフ孔に入った玉を１ヶ所に集め、そこから一発ずつ検出する方法がある。」（第３頁右下欄第１２〜１８行）ことが、
  また、甲第２号証（特開平１−１７５８８０号公報）には、
「遊技者により目視可能で且つ外部から遮蔽された状態で設けられ所定個数のパチンコ玉を収納可能な玉受部と、この玉受部内のパチンコ玉を順次盤面に発射するための玉発射機構と、金額に対応した遊技用情報が記憶された遊技券が挿入されるカード挿入口と、前記遊技券の挿入状態でその遊技券に記憶された遊技用情報の範囲内で前記玉受部にパチンコ玉を選択的に放出すると共にパチンコ玉の入賞に運動して所定個数ずつのパチンコ玉を上記玉受部に放出する放出機構と、前記玉受部内のパチンコ玉数が収納限度数を越えた状態でその玉受部をオーバーフローしたパチンコ玉を計数する計数手段と、少なくとも前記計数手段による計数値に対応したパチンコ玉数を表示する表示装置と、前記玉受部内のパチンコ玉数が下限個数以下となったときに前記計数手段の計数値に対応したパチンコ玉数の範囲内で上記玉受部にパチンコ玉を放出する補助放出機構と、前記計数手段による計数値を前記補助放出機構による放出パチンコ玉数分だけ減少させると共に遊技終了時にはその計数手段の計数値に対応したパチンコ玉数及び前記玉受部内のパチンコ玉数の合計を前記遊技券に記憶させる制御回路とを備えたことを特徴とするパチンコ台。」（特許請求の範囲）であること、
「パチンコ台１５内には、パチンコ玉・・・を貯留するための玉受部１８が・・・設けられており、この玉受部１８内のパチンコ玉が玉発射機構１７により盤面１９に向けて発射されるようになっている。」（第６頁左上欄第２〜９行）こと、
「パチンコ台１５には、入賞孔１９ａに入賞したパチンコ玉を検知する毎に入賞検知信号Ｓｃを発生する入賞玉検知装置２７が設けられている。」（第６頁右下欄第２〜５行）こと、
「２８はパチンコ台の背面側に設けられた玉供給装置で、これは本発明でいう放出機構及び補助放出機構を兼用した構成になっている。この玉供給装置２８は、タンク２０内のパチンコ玉を玉受部１８へ選択的に放出するために設けられたものであり、前記入賞検出装置２７から入賞検出信号Ｓｃが出力される毎に所定個数ずつのパチンコ玉を玉受部１８に放出すると共に、後述のように与えられる指令信号により指定された数のパチンコ玉を玉受部１８へ放出するように構成されている。
  また、パチンコ台１５の前面上部には、カード挿入口１６に挿入された遊技券６を取出すための返却ボタン２９、カード挿入口１６に挿入された遊技券６に記憶された金額情報をデジタル表示するための金額情報表示部３０、カード挿入口１６に挿入された遊技券６に記憶されたパチンコ玉数情報をデジタル表示するためのパチンコ玉数情報表示部３１、後述するような遊技者による獲得パチンコ玉数をデジタル表示するための表示装置たる獲得パチンコ玉数表示部３２、従業員呼出し用の呼出しボタン３３、及びパチンコ台１５が打止状態にあることを示す打止表示灯３４が夫々設けられている。さらに、パチンコ台１５の前面下部には、例えば４個のセレクトボタン３５ａ〜３５ｄが設けられており、各セレクトボタン３５ａ，３５ｂ，３５ｃ，３５ｄに夫々対応して、例えば「１００円・２５個」，「２００円・５０個」，「３００円・７５個」，「５００円・１２５個」の各表示・・・が施されている。」（第６頁右下欄第１０行〜第７頁左上欄第１８行）こと、
「パチンコ台１５は、カード挿入口１６に遊技券６が挿入されたときに初めて機能が有効化される（ステップＢ１）。」（第８頁左上欄第１〜３行）こと、
「挿入された遊技券６に金額情報或はパチンコ玉数情報の残高があった場合（ステップＢ７にて「ＹＥＳ」と判断された場合）には、上記残高つまり記憶部３８の記憶金額Ｍ及び記憶パチンコ玉数Ｎを金額情報表示部３０及びパチンコ玉数情報表示部３１に表示させ（ステップＢ８）、打止フラグＦＳが「１」か否かを判断する（ステップＢ９）。」（第８頁右上欄第１１〜１８行）こと、
「上記パチンコ玉放出ステップＢ１７では、玉供給装置２８に対して、セレクトボタン３５ａ〜３５ｄの操作に応じて指定されたＮ’個のパチンコ玉を放出するように指令するものであり、これに応じて玉供給装置２８から玉受部１８に対してＮ’個のパチンコ玉が供給されるようになる。」（第９頁左上欄第８〜１３行）こと、
「続いて、金額情報表示部３０及びパチンコ玉数情報表示部３１の表示内容を、上述のような各情報記憶エリアの記憶内容の更新に応じたものに更新する（ステップＢ１９）。
  しかして、以上のようにして玉受部１８にパチンコ玉が供給された状態では、そのパチンコ玉を利用して遊技を行なうことができるものであり、玉発射機構１７により発射されたパチンコ玉が入賞孔１９ａに入賞して入賞玉検知装置２７から入賞玉検知信号Ｓｃが出力される毎に、タンク２０内のパチンコ玉が玉供給装置２８を通じて所定個数ずつ玉受部１８へ放出されるようになる。」（第９頁右上欄第１２行〜左下欄第３行）ことが、それぞれ記載されている。
  さらに、甲第３号証（特開昭６２−１０２７８３号公報）には、
「第２２図には、本発明に係る球排出装置を、球貸機の貸球排出装置および球貸機の両サイドにあるパチンコ遊技機の賞品球排出装置として兼用させるようにした実施例を示す。」（第８頁左下欄第１５〜１８行）こと、
「ＣＰＵ２００には、前記実施例におけるセーフ球検出器４７（第１９図参照）や、コイン検出器７２（第２０図参照）から出力される検出信号あるいは球貸機６０内の制御ボックス７４（第２０図参照）から出力される補給要求信号のような排出要求信号ＳＯが入力される。また、ＣＰＵ２００には、球排出装置２（４５，６３，９０）の流下経路１の途中に設けられた一対の検出器５からの排出球検出信号Ｓ１，Ｓ２が、波形整形回路２１１，２１２によって波形整形されてから、フィルタ２１３，２１４を通って正規の検出信号のみが抽出されて入力されるようになっている。」（第１０頁右上欄第１６行〜左下欄第７行）こと、
「さらに、ＣＰＵ２００には、ドライバ２２１，２２２，２２３，２２４が接続されており、排出要求信号ＳＯが入力されると、ドライバ２２１を駆動して排出表示ランプＬＭＰを点灯させるとともに、ドライバ２２２，２２３を駆動して球排出装置内の一対の排出駆動手段としてのソレノイドＳＯＬ１，ＳＯＬ２（２１）を励磁させる。
  これによって、流下阻止部材２２が流下経路１内から後退されて、所定数の球の排出が行われる。」（第１０頁右下欄第２〜１０行）こと、
「ＣＰＵが起動されると、先ずＲＯＭ２０１からアクセスを開始して、そこに格納されたプログラムの命令を順次読み込んで実行する。これにより第３０図に示す一連の排出処理が開始される。
  排出処理が開始されると、先ず、排出要求信号ＳＯを読み込んで（ルーチンＲ１）、信号の立上りエッヂがあるか否かすなわち排出要求信号ＳＯがハイレベルに変化したか否か判定して（ルーチンＲ２）、エッヂがあったときはＲＡＭ２０２内の指示レジスタ（第２９図参照）の値に１を加えて（ルーチンＲ３）からルーチンＲ４へ進む。信号エッヂが無いときは、ルーチンＲ２からＲ４へジャンプする。ルーチンＲ４では、ＲＡＭ２０２内のモードレジスタを見て排出系１と排出系２すなわち球排出装置の２つ流下経路に関するモードが「０」になっているか否か判定する。ここで、モードが「０」であれば排出系１の処理へ移行する。しかして、システムが動き出すときはレジスタ類は「０」にされるため、最初のルーチンＲ４での判定結果は、イエス（Ｙ）となってルーチンＲ５へ進む。
  ルーチンＲ５では、ＲＡＭ２０２内の指示レジスタの値が「０」か否か判定して、「０」であれば排出系１の処理へ移行し、「０」でなければ、すなわち、≠０ならばルーチンＲ６へ移行する。従って、上記ルーチンＲ３で指示レジスタに１を加えたときは、必ずルーチンＲ６へ移行する。ルーチンＲ６では、排出系１の排出球検出器の信号を見て、流下経路内に球があるか否か判定し、球があればルーチンＲ７へ移行して、同様に排出系２の排出球検出器の信号を見る。そして、流下経路内に球があるか否か判定する。ルーチンＲ６とＲ７でそれぞれ球がないと判定すると、ルーチンＲ１２へジャンプして警報を鳴らす。排出系１と２の両方の経路に球があると、球排出装置内の２つのソレノイドを励磁して排出を開始する（ルーチンＲ８）とともに、排出中であることを表示するランプＬＭＰを点灯させる（ルーチンＲ９）。」（第１１頁左上欄第３行〜左下欄第１行）ことが記載されている。
  請求項１に係る発明（以下「前者」という。）と上記甲号各証記載のもの（以下「後者」という。）とを対比すると、後者には、少なくとも前者の構成要件である、「賞遊技媒体排出信号発生手段により発生した賞遊技媒体排出信号に基づいて、賞としての前記遊技媒体を排出させると共に、貸出操作手段により発生した貸出遊技媒体排出信号に基づいて、貸出用の前記遊技媒体を排出させる単一の遊技媒体排出装置」を備えた「遊技装置」において「貸出遊技媒体排出信号に基づいて、前記遊技媒体排出装置が前記貸出用の前記遊技媒体を排出する場合に、前記貸出用の前記遊技媒体が排出状態にあることを表示する貸出排出状態表示手段を、賞遊技媒体排出状態表示手段とは別異に設けている」点について何等記載されておらず、示唆もない。
  そして、上記前者は該構成を備えることにより明細書記載の「遊技者は貸出用の遊技媒体が正確に排出されていることが分かり」、「賞としての遊技媒体と貸出用の遊技媒体が同時に発生したような場合にも、遊技者はその排出がどちらのものであるかが分かり、安心感を得ることができる。」という、上記甲号各証記載のものにはない作用効果を奏するものである。
  以上のとおりであるから、請求項１に係る発明は、上記甲号各証に記載された技術に基いて当業者が容易に発明をすることができたものとはいえない。
  従って、特許異議申立ての理由及び証拠によっては、請求項１に係る発明の特許を取り消すことはできない。
  また、他に請求項１に係る発明の特許を取消すべき理由を発見しない。
  よって、結論のとおり決定する。
【異議決定日】
平成１２年５月１８日（２０００．５．１８）